(57)【要約】【課題】外観が良好で、メンテナンス性にも優れた手摺笠木Ａの提供を目的とする。また、手摺笠木Ａの外観を良好にすることができるとともに、メンテナンス性をも向上させることができる手摺用縮み止め具の提供を目的とする。【解決手段】ブラケット１が挿入される側方開口２を長手通しに備えた笠木芯材３の表面に前記側方開口２の両側縁に係止部４を長手通しに係止させて被覆材５を被せるとともに、前記係止部４を長手方向に移動不能に笠木芯材３に連結して手摺笠木Ａを形成する。  また、ほぼＣ字断面形状をなす笠木芯材３の側方開口２両側縁に係止部４を係止させて前記笠木芯材３の表面に被せられる被覆材５の長手方向への収縮を防止する手摺用縮み止め具７であって、  前記笠木芯材３の内壁８に固定される固定部９と、  前記係止部４に突き刺さる突き刺し部６とを有して手摺用縮み止め具７を構成する。【選択図】図２
2014101693.tif 000002
【特許請求の範囲】
【請求項１】
ブラケットが挿入される側方開口を長手通しに備えた笠木芯材の表面に前記側方開口の両側縁に係止部を長手通しに係止させて被覆材を被せるとともに、前記係止部を長手方向に移動不能に笠木芯材に連結して形成される手摺笠木。
【請求項２】
前記笠木芯材はほぼＣ字断面形状に形成されるとともに、前記係止部に突き刺さる突き刺し部を備えた縮み止め具が内壁に取り付けられる請求項１記載の手摺笠木。
【請求項３】
前記縮み止め具は笠木芯材の内壁に突っ張り固定される請求項２記載の手摺笠木。
【請求項４】
ほぼＣ字断面形状をなす笠木芯材の側方開口両側縁に係止部を係止させて前記笠木芯材の表面に被せられる被覆材の長手方向への収縮を防止する手摺用縮み止め具であって、
前記笠木芯材の内壁に固定される固定部と、
前記係止部に突き刺さる突き刺し部とを有する手摺用縮み止め具。
【請求項５】
前記突き刺し部は、側方開口に近づくに従って漸次側方開口の幅方向中心に近接する一対の翼片から背向方向に尖頭状突起を突設させて形成され、
前記固定部は、
笠木芯材の側方開口近傍の内壁に突き当てられる突き当て片と、
側方開口を通って前記翼片間に圧入されて翼片を離間方向に移動させ、かつ、圧入により先端を側方開口の奥側の内壁に圧接させて前記突き当て片とともに笠木芯材内壁に突っ張り状に固定される押出部材とを有する請求項４記載の手摺用縮み止め具。
【発明の詳細な説明】
【技術分野】
【０００１】
本発明は手摺笠木に関するものである。
【背景技術】
【０００２】
従来、手摺笠木としては特許文献１に記載されたものが知られている。この従来例において、手摺笠木は、下向きの開口部を備えてほぼＣ字断面形状に形成された笠木芯材の表面に被覆材を被せて形成され、上記開口部にはブラケットが挿入される。
【０００３】
また、上記被覆材は笠木芯材に被せた状態で上述した開口部の両側縁に係止しており、さらに、被覆材を長さ方向に縮み止めするために、笠木芯材の上面と被覆材との間に両面接着シートを介装したり、あるいは、先鋭突起を備えた薄い金属プレートを笠木芯材の上面にビス止めして被覆材に突き刺したりする。
【先行技術文献】
【特許文献】
【０００４】
【特許文献１】特開２００４-１１４０８号公報
【発明の開示】
【発明が解決しようとする課題】
【０００５】
しかしながら、上述した従来例はメンテナンスがしづらいという欠点がある。
【０００６】
すなわち、両面接着シート等の縮み止め具は笠木芯材の上面と被覆材との間に配置されるために、手摺笠木の外観に影響を与えることがない反面、縮み止め性能が十分に発揮できるようにしっかりと取り付けられているか、経時劣化してしまっていないか、さらには施工忘れがないかといったようなことを確認したいときや、縮み止め具を追加あるいは交換したいようなときには、笠木芯材の下方において係止している被覆材の係止を解除した上で、縮み止め具が配置されている上面側まで被覆材を笠木芯材から剥がす、すなわち被覆材をほぼ全体的に笠木芯材から剥がさなければならなくなってしまう。一般に被覆材は笠木芯材に対して妄りにずれないように柔軟性を適宜抑えて形成されることから、開口部の一側方の係止のみを解除して捲り上げるようなことが困難となる。
【０００７】
また、笠木芯材の上面に先鋭突起を突出させた場合には、この先鋭突起による作業者の怪我を防ぐために、手摺笠木を組み立てる際の作業効率が悪くなりやすい。
【０００８】
本発明は以上の欠点を解消すべくなされたものであって、外観が良好で、メンテナンス性、組立時における作業性にも優れた手摺笠木の提供を目的とする。また、本発明の他の目的は、手摺笠木の外観を良好にすることができるとともに、メンテナンス性、組立時における作業性をも向上させることができる手摺用縮み止め具の提供にある。
【課題を解決するための手段】
【０００９】
本発明によれば上述した目的は、
ブラケット１が挿入される側方開口２を長手通しに備えた笠木芯材３の表面に前記側方開口２の両側縁に係止部４を長手通しに係止させて被覆材５を被せるとともに、前記係止部４を長手方向に移動不能に笠木芯材３に連結して形成される手摺笠木Ａを提供することにより達成される。
【００１０】
すなわち、従来における被覆材５の縮み止めは、被覆材５が笠木芯材３の外面に被せられるというその組み付け作業上からも明らかな構造に着目し、笠木芯材３の外面において縮み止めを構成しているところ、本願発明は笠木芯材３にブラケット１を挿入する側方開口２があり、この側方開口２に被覆材５が係止していることに新たに着目し、係止部４を利用して縮み止めを構成するという新たな着想に基づくものである。
【００１１】
そして、本願発明によれば、縮み止め部位は側方開口２を利用して隠れることが可能であるために手摺笠木の外観を良好にすることができ、また、縮み止め性能の確認等の際には、係止部４の係止を解除するだけで足りるために、あまり手間がかかることはない。
【００１２】
笠木芯材３に対する被覆材５の長手方向に移動不能な連結は、上述した従来例のように両面接着テープや、被覆材５に突き刺さる突き刺し部を備えた金具を笠木芯材３に取り付けたり、あるいは笠木芯材３の側方開口２近傍を突起状に内方に切り起こす、すなわち上記突き刺し部を笠木芯材３に一体形成したり、さらには接着剤を用いて行うことが可能である。この場合において、笠木芯材３をほぼＣ字断面形状に形成しておき、突き刺し部６を備えた縮み止め具７をその内壁８に取り付けるようにすれば、笠木芯材３に被せた後の被覆材５に対して突き刺し部６を突き刺して縮み止めを施すことが可能になるために、被覆材５の笠木芯材３への装着作業をより簡単にすることが可能になる。
【００１３】
この場合においてさらに、縮み止め具７を笠木芯材３の内壁８に突っ張り固定したときには、ネジ止め固定する場合に必要な笠木芯材３への孔開け作業等が不要になり、施工効率を向上させることができる。
【００１４】
上述した笠木芯材３と被覆材５との長手方向に移動不能な連結は、
上記笠木芯材３の内壁８に固定される固定部９と、
上記係止部４に突き刺さる突き刺し部６とを有する手摺用縮み止め具７により実現することができる。
【００１５】
上記固定部９は、接着やネジ止め等の適宜の固定構造により構成することが可能であるが、突っ張り固定できるようにした場合には上述のように施工効率を高めることができる。
【００１６】
さらに、上述した突き刺し部６について、側方開口２に近づくに従って漸次側方開口２の幅方向中心に近接する一対の翼片１０から背向方向に尖頭状突起１１を突設させて形成するとともに、
上述した固定部９について、
笠木芯材３の側方開口２近傍の内壁８に突き当てられる突き当て片１２と、
側方開口２を通って前記翼片１０間に圧入されて翼片１０を離間方向に移動させ、かつ、圧入により先端を側方開口２の奥側の内壁８に圧接させて上記突き当て片１２とともに笠木芯材３内壁８に突っ張り状に固定される押出部材１３とを有して構成すれば、突っ張り固定とともに突き刺し部６の尖頭状突起１１を被覆材５に突き刺すことが可能になるために、作業効率を極めて高めることができる。
【発明の効果】
【００１７】
以上の説明から明らかなように、本発明によれば、手摺笠木の外観を良好にできるとともに、メンテナンス性も向上できることから、利用者の歩行を快適かつ安全に補助することができる。
【図面の簡単な説明】
【００１８】
【図１】本発明に係る手摺笠木の設置状態を示す図で、（ａ）は正面図、（ｂ）は（ａ）の１Ｂ-１Ｂ線断面図である。
【図２】図１の２Ａ-２Ａ線断面図である。
【図３】本発明に係る手摺用縮み止め具を示す図で、（ａ）は左斜め上から見たときの斜視図、（ｂ）は左斜め下から見たときの斜視図、（ｃ）は分解斜視図である。
【図４】手摺用縮み止め具の本体部を示す図で、（ａ）は平面図、（ｂ）は正面図、（ｃ）は側面図、（ｄ）はネジを締め付けて笠木芯材に固定されたときの状態を再現した側面図である。
【図５】手摺用縮み止め具の組み付け作業を説明する図で、（ａ）は側方開口から笠木芯材の中空部に手摺用縮み止め具を挿入する作業を示す要部縦断面図、（ｂ）は被覆材を笠木芯材に被せる作業を示す要部縦断面図である。
【発明を実施するための形態】
【００１９】
図１に本発明の手摺笠木Ａを使用した手摺装置Ｂを示す。この実施の形態において手摺装置Ｂは壁面２１に沿って配置される壁手摺であり、壁面２１に所定間隔で固定されるブラケット１に手摺笠木Ａを取り付けて形成される。手摺笠木Ａの終端部には端部処理用のエンドキャップ２２が適宜手段により取り付けられる。
【００２０】
上記ブラケット１は、金属の押出型材を所定幅に切断して製せられる。このブラケット１は、一端に壁面固定片２３を、他端に笠木取付片２４を有し、壁面固定片２３により壁面２１に固定される。壁面２１への壁面固定片２３の固定は、壁面２１に予め設置されたアンカーボルト２５にナット２６を締め付けてなされる。また、笠木取付片２４は、先端に形成される太幅部２４ａの基端から細幅部２４ｂを延設して段付き形状に形成される。
【００２１】
上記手摺笠木Ａは、図２に示すように、笠木芯材３の表面を被覆材５により被覆して形成される。笠木芯材３は、曲がり手摺を施工する際の曲げ加工のし易さを考慮してアルミニウム等の金属を押し出し成形して形成される。この笠木芯材３は、一側方に開放する側方開口２を備えたほぼＣ字断面形状に形成され、ブラケット１への固定は、図１（ｂ）に示すように、側方開口２から挿入される上述した太幅部２４ａにビス２７を止めてなされる。側方開口２のやや内方寄りの位置には、先端が太幅部２４ａの側面に当接する当接突起３ａが内方に向かって突設され、さらに、中空部の奥側の内壁８には、太幅部２４ａの先端に嵌合して笠木取付片２４を位置決めする嵌合凹部３ｂが凹設される。
【００２２】
以上の笠木芯材３の外周面には３個の凹溝３ｃが形成され、凹溝３ｃ、および側方開口２は中心周りに９０度間隔で配置される。また、凹溝３ｃおよび側方開口２を除く外周面は、被覆材５を支承する支承突条３ｄとして機能する。さらに、側方開口２に面する支承突条３ｄは、側方開口２に向かって突出して後述する係止部４と手摺笠木Ａの内外方向に係止する係止突起部３ｅが形成される。
【００２３】
一方、被覆材５は、軟質の合成樹脂からなる主体部２８の表面に半硬質の合成樹脂からなるスキン層２９を配置して形成される。上記被覆材５にポリ塩化ビニルを用いるこの実施の形態において、可塑剤の添加量等を調整することにより主体部２８は表面硬度がＪＩＳ-Ａ形の硬度で４０-６０程度に、スキン層２９は９０程度になるように形成され、これにより被覆材５は、常温において開放部３０を指で押し広げて笠木芯材３に被せることができる程度に柔軟にされる。
【００２４】
また、上記被覆材５の開放端部には、半硬質樹脂により係止部４が形成される。係止部４は、中心方向に突条を突設させて形成される。以上の被覆材５は、主体部２８と、スキン層２９、および係止部４のそれぞれを構成する樹脂を同時成形して一体成形される。
【００２５】
さらに、以上の被覆材５を長手方向に移動不能に上述した笠木芯材３に固定するために、笠木芯材３には縮み止め具（手摺用縮み止め具７）が取り付けられる。縮み止め具７は、図３および図４に示すように、バネ材を折曲して、具体的にはこの実施の形態においてはステンレスバネ鋼を折り曲げて形成された本体部３１にネジ（押出部材１３）を螺入して形成される。
【００２６】
上記本体部３１は、連結片３３の両端から翼片１０、１０を曲げ起こして、言い換えれば一対の翼片１０、１０の一端部同士を連結片３３により連結して形成され、翼片１０の自由端はジグザグ状に加工されて尖頭状突起１１の複数からなる突き刺し部６が形成される。一対の翼片１０、１０は自由端に行くに従って漸次離間間隔が小さくなるようにされ、上述した突き刺し部６は翼片１０の延びる方向とは反対に外側に向かって折曲して、より具体的には先端に行くに従って漸次連結片３３から離れる方向に延設される。
【００２７】
また、各翼片１０の両側縁部には突き当て片１２が形成される。この突き当て片１２は、翼片１０の中間部を外側に向かって切り起こすようにして形成され、先端が上述した突き刺し部６よりもやや連結片３３寄りの位置で、かつ、連結片３３よりも外側に位置する。さらに、上述した連結片３３には、透孔３４が穿孔されるとともに、この透孔３４に連続して切り込み３５が設けられる。この切り込み３５は、上述したネジ１３を透孔３４内に押し込むことにより、透孔３４の周縁部３６が立ち上がる方向に折曲して雌ねじとして機能できるようにするためのものである。例えば、上述したネジ１３には、連結片３３の板厚に噛み合うことができるようにネジピッチが大きいタッピングスクリューが用いられる。
【００２８】
以上の縮み止め具７は、ネジ１３が本体部３１に浅くねじ込まれた状態においては、図４（ｃ）に示すようにネジ１３の頭部１３ａと突き刺し部６とは非接触状態になるが、ここからネジ１３を深くねじ込むと、その頭部１３ａ裏面の錐面状の傾斜面が突き刺し部６の基端を外側に押し退けて図４（ｄ）に示すように翼片１０、１０を拡開させ、突き刺し部６が外側に向かって移動、すなわち突き刺し部６、６の離間間隔がＧ１からＧ２に拡大する。
【００２９】
図５に以上の手摺笠木Ａの組み立て作業を示す。組み立ては、先ず、笠木芯材３の側方開口２に連結片３３を先頭にして縮み止め具７を押し込むことによりなされる。図５（ａ）に示すように、この押し込み操作に伴い、突き当て片１２は側方開口２の両側縁に衝接して各翼片１０の近接する方向に弾性変形し、側方開口２を通過すると側方開口２近傍の笠木芯材３内壁８に干渉する位置に弾性復帰する。
【００３０】
以上のようにして縮み止め具７を笠木芯材３の中空部に入れたら、次は、笠木芯材３に被覆材５が被せられる。被覆材５は主体部２８が柔軟に形成されるために、指３７で開放部３０を押し広げて笠木芯材３に被せられる。このようにして笠木芯材３に被覆材５を被せたら、この後、さらに図５（ｂ）に示すように指で係止部４を外側に引っ張れば、係止部４を側方開口２に係止させることができる。
【００３１】
以上のようにして笠木芯材３に被覆材５を装着したら、最後に、図示しないドライバを被覆材５の開放部３０、および笠木芯材３の側方開口２に通してネジ１３を締め上げれば、図２に示すように、突き当て片１２が当接突起３ａの側面に圧接するととともに、ネジ１３の先端が笠木芯材３の嵌合凹部３ｂの底面、すなわち奥側の内壁８に圧接し、このネジ１３と突き当て片１２とによって縮み止め具７が笠木芯材３の中空部に突っ張り固定される。また同時に、翼片１０が拡開して突き刺し部６の尖頭状突起１１が係止部４に突き刺さり、これにより係止部４、すなわち被覆材５が縮み止め具７を介して笠木芯材３に固定される。
【００３２】
また、上述した手摺装置Ｂの壁面２１への固定は、例えば先ず、壁面２１にブラケット１を固定した後、このブラケット１に笠木芯材３をビス止めし、次いで、縮み止め具７を笠木芯材３の中空部に挿入してから笠木芯材３に被覆材５を被せ、最後に、縮み止め具７のネジ１３を締めることにより行うことができる。
【００３３】
さらに、上述のように被覆材５を笠木芯材３に装着した後、例えば縮み止め具７の取り付け忘れがないかを確認したいときには、被覆材５の開放部３０から手摺笠木Ａの内部を覗き込めば、縮み止め具７の有無を確認することができる。また、縮み止め具７の取り付け忘れが見付かったときには、被覆材５の開放部３０を指で押し広げて係止部４の側方開口２への係止を解除した後、縮み止め具７を側方開口２に押し込み、次いで、係止部４を再度、側方開口２に係止させ、この後、縮み止め具７のネジ１３を締めればよい。
【００３４】
なお、以上の実施の形態においては、被覆材５の笠木芯材３への固定を縮み止め具７のみによってする場合を示したが、例えば笠木芯材３と被覆材５との間に接着剤を充填して接着剤と併用してすることも可能である。また、以上においてはブラケット１や笠木芯材３を金属により、被覆材５を合成樹脂により形成する場合を示したが、ブラケット１等は硬質材料であれば例えば合成樹脂等によって、被覆材５は軟質材料であれば例えばゴム等によって形成することも可能である。
【符号の説明】
【００３５】
１    ブラケット
２    側方開口
３    笠木芯材
４    係止部
５    被覆材
６    突き刺し部
７    縮み止め具
８    内壁
９    固定部
１０    翼片
１１    尖頭状突起
１２    突き当て片
１３    押出部材
【図１】
2014101693.tif 000003
【図２】
2014101693.tif 000004
【図３】
2014101693.tif 000005
【図４】
2014101693.tif 000006
【図５】
2014101693.tif 000007